(57)【特許請求の範囲】
【請求項１】
長手方向両側縁がそれぞれ内側に向かって凸となるように弓状に形成された略長方形のネットシートと、該ネットシートの長手方向の両側縁に沿ってそれぞれ設けられた２本の筒状体とを有する担架シートと、
前記筒状体中をそれぞれ通る２本の紐状体と、
前記紐状体のそれぞれの両端部が連結される連結部を有し、該連結部の前記担架シートの幅方向の間隔が前記担架シートの長手方向両端の幅方向の寸法以上になっている枠体と、
前記紐状体を牽引または弛緩させる手段と、を有し、
前記紐状体を前記手段により牽引した際に、前記担架シートの幅方向の張力が発生するようになっていることを特徴とする入浴用担架。
【請求項２】
前記枠体は、左右把手管と、これらの長手方向の上部および下部を連結する上部連結管と、下部連結管とを有しており、前記連結部は、前記上部連結管および下部連結管にそれぞれ２個ずつ設けられていることを特徴とする請求項１に記載の入浴用担架。
【請求項３】
前記筒状体は、前記ネットシートの長手方向の長さとほぼ同一の長さを有しており、前記ネットシートの両側縁に沿って弓状に設けられていることを特徴とする請求項１または２に記載の入浴用担架。
【請求項４】
前記紐状体は、平帯状に形成されていることを特徴とする請求項１ないし３のいずれかに記載の入浴用担架。
【請求項５】
前記紐状体を牽引することによって、前記筒状体と前記紐状体との接触圧力および摩擦力が増加するようになっており、前記紐状体に対する前記担架シートの長手方向のずれを抑制することを特徴とする請求項４に記載の入浴用担架。
【請求項６】
前記担架シートのネットシートの幅方向の最大寸法と最少寸法との差が５ないし１５ｃｍである請求項１に記載の入浴用担架。
【請求項７】
入浴用担架で用いられる担架シートであって、該担架シートは、長手方向両側縁がそれぞれ内側に向かって凸となる弓状に形成された略長方形のネットシートと、該ネットシートの長手方向の両側縁に沿ってそれぞれ設けられた２本の筒状体と、を有し、
前記筒状体中を通る２本の紐状体のそれぞれの両端部を略長方形の枠体の対向する短辺に連結することで、該枠体に張設されるようになっており、前記枠体の短辺に連結された部分における２本の紐状体の間隔が前記担架シートの長手方向両端の幅方向の寸法以上の大きさになっており、前記２本の紐状体を牽引手段により牽引した際に前記担架シートの幅方向の張力が発生するようになっていることを特徴とする担架シート。
【発明の詳細な説明】
【０００１】
【発明の属する技術分野】
本発明は、介護が必要とされる入浴者を介護人が入浴させるときに用いる入浴用担架に関するものであり、より詳しくは、浴槽と組合せて使用する入浴用担架に関するものである。
【０００２】
【従来の技術】
従来構造の入浴用担架を浴槽に載置した状態を図３に示す。
【０００３】
この入浴用担架１ａは、図３に示すように、一対の左右把手管１１と、これらの長手方向の上部、下部を連結する上部連結管１２、下部連結管１３とにより構成された枠体１０内に担架シート２０を配置したものである。入浴用担架１ａは、巻き取り機構（牽引機構）のハンドル１４を回転させることによって、担架シート２０の両側縁に沿って設けられたロープ４０を牽引または弛緩させることが可能な構造となっている。なお、前述した巻き取り機構は、例えば、実公平６―３５７６に記載されている入浴用担架ネット巻き取り機構のような巻き取り機構である。この巻き取り機構は、ハンドル１４の回転により、ロープ４０と連結されている下部連結管１３側のロープ４０と連結されているワイヤー１５を枠体１０内に引き込んだり引き出したりすることが可能となっている。
【０００４】
そして、図３に示すように、浴槽２の上方にこの入浴用担架１ａを載置した状態で、前述した巻き取り機構によりロープ４０をワイヤー１５を介して牽引または弛緩することによって、担架シート２０上に横たわった入浴者を浴槽２内に降下させたり、浴槽２の上方へと引き上げたりすることが可能となっている。
【０００５】
この入浴用担架１ａにおいて、担架シート２０は、略長方形のネットシート２１に補強用ベルト２３を幅方向に複数取り付け、各補強用ベルト２３の両端部分に設けられたループ部４１にロープ４０を挿通する。また、担架シート２０から長手方向に延出するロープ４０の両端をそれぞれ上部連結管１２の連結部１７ａやワイヤー１５に連結することにより、担架シート２０は、枠体１０に取り付けられている。
【０００６】
【発明が解決しようとする課題】
しかしながら、この入浴用担架１ａに使用されている担架シート２０は、入浴者の体重を支持しなくてはならない。したがって、ロープ４０の両端を連結部１７ａやワイヤー１５に連結する際、組みつなぎ等の複雑な結索方法が必要となり、製作に熟練を必要としていた。
【０００７】
そのうえ、前述した組みつなぎによって結索されたロープ４０は、担架シート２０からの取外しが困難な構造となるため、ロープ４０の交換およびリサイクルに手間がかかっていた。
【０００８】
また、この構造の担架シート２０は、前述したように、ロープ４０の取外しが困難な構造となっていることから、洗濯や収納の際にロープ４０が嵩張り、洗濯や収納の困難な構造となっていた。
【０００９】
また、この入浴用担架１ａは、使用時に、担架シート２０の幅方向に張力を付加することが可能な構造となっておらず、単にループ部４１にロープ４０を挿通しただけの構造であっため、入浴者を担架シート２０に載置した際、担架シート２０の幅方向の撓みによる入浴者の沈み込みや、担架シート２０の長手方向のずれが生じ易く、それにより、入浴者が不安感を抱いたり、介護者の負担が大きくなるなどの問題が発生していた。
【００１０】
上記問題点に鑑み、本発明の入浴用担架は、入浴者が載置された状態で、担架シートの幅方向の撓みや、長手方向のずれが少なく、また、担架シートの洗濯や収納が容易な入浴用担架を提供することを目的とする。
【００１１】
【課題を解決するための手段】
上記目的を達成するため、本発明の入浴用担架は、長手方向両側縁がそれぞれ内側に向かって凸となるように弓状に形成された略長方形のネットシートと、該ネットシートの長手方向の両側縁に沿ってそれぞれ設けられた２本の筒状体とを有する担架シートと、
前記筒状体中をそれぞれ通る２本の紐状体と、
前記紐状体のそれぞれの両端部が連結される連結部を有し、該連結部の前記担架シートの幅方向の間隔が前記担架シートの長手方向両端の幅方向の寸法以上になっている枠体と、
前記紐状体を牽引または弛緩させる手段と、を有し、
前記紐状体を前記手段により牽引した際に、前記担架シートの幅方向の張力が発生するようになっていることを特徴とする。
【００１２】
以上のような構成によれば、入浴者が載置された状態で、紐状体を牽引手段により索引すると、担架シートの幅方向の張力が発生するようになっているため、入浴者が載置された状態で、担架シートの幅方向の撓みによる入浴者の沈み込みを少なくすることができる。さらに、筒状体と連結用ベルトの摩擦が大きくなるため、担架シートと連結用ベルトとの長手方向のずれが少なくなる。
【００１３】
また、前記枠体は、左右把手管と、これらの長手方向の上部および下部を連結する上部連結管と、下部連結管とを有しており、前記連結部は、前記上部連結管および下部連結管にそれぞれ２個ずつ設けられていることが好ましい。
【００１４】
また、前記筒状体は、前記ネットシートの長手方向の長さとほぼ同一の長さを有しており、前記ネットシートの両側縁に沿って弓状に設けられた構造を用い、前記紐状体は、平帯状に形成することで、担架シートの長手方向のずれを防止することが可能となり、担架シートから紐状体が容易に着脱できることから、洗濯や収納が便利な構造となる。
【００１５】
また、前記筒状体の反りによって、前記筒状体と前記紐状体との接触圧力および摩擦力が増加するような構造を用いることが好ましい。
【００１６】
本発明の他の目的、作用および効果は、図面を参照して行う以下の実施形態の説明から、より明らかとなるであろう。
【００１７】
【発明の実施の形態】
以下、本発明の入浴用担架の好適実施形態を図面を参照して説明する。
【００１８】
図１は、本発明の入浴用担架の好適実施形態に係る全体構成を示す斜視図である。図２は、本発明の入浴用担架を浴槽に載置した状態を示す斜視図である。
【００１９】
なお、図１および図２中において、図３に示した従来の入浴用担架１ａの構造と同一の機能を有する構成要素には同一の符号を付記する。
【００２０】
本発明の入浴用担架１は、図１に示すように、略長方形の枠体１０と、枠体１０内に位置する入浴者を載置するための担架シート２０と、担架シート２０を枠体１０に連結するための連結用ベルト３０（紐状体）とによって構成されている。
【００２１】
より詳しく説明すると、入浴用担架１は、図１に示すように、一対の左右把手管１１と、これらの長手方向の上部および下部を連結する上部連結管１２および下部連結管１３とにより構成された枠体１０内に担架シート２０を配置したものである。担架シート２０の上縁部および下縁部から延出した連結用ベルト３０を枠体１０と連結する。巻き取り機構（牽引機構）のハンドル１４を回転させることによって、ワイヤー１５を介して、連結用ベルト３０を牽引または弛緩させることが可能な構造となっている。なお、前記巻き取り機構は、前述した従来例と同様に、例えば実公平６―３５７６に記載されている入浴用の担架ネット巻き取り機構のような巻き取り機構である。巻き取り機構のハンドル１４の回転により、下部連結管１３側のロープ４０と連結されているワイヤー１５を連結部１７ｂから枠体１０内に巻き取ることが可能となっている。
【００２２】
そして、前述した従来の入浴用担架１ａと同様に、図１に示すように、浴槽２の上方にこの入浴用担架１を載置した状態で、ハンドル１４を所定方向に回転させる。これにより、連結用ベルト３０をワイヤー１５を介して前記枠体１０の下部連結管１３側に引き寄せ、担架シート２０に横たわった入浴者を浴槽２の上方へと上昇させることができる。ハンドル１４を前述した方向と逆の方向に回転させることによって連結用ベルト３０を弛緩させ、入浴者を浴槽２内へと下降させることが可能となっている。
【００２３】
担架シート２０は、図１に示すように、両側縁がそれぞれ内側に向かって凸となる弓状に形成された略長方形のネットシート２１と、ネットシート２１の両側縁に、一体に設けられている一対の筒状体２２と、これらの筒状体２２の間に複数の補強用ベルト２３とを有する。
【００２４】
より詳しくは、ネットシート２１は、入浴時の水はけを良くするため、ナイロン等のネット素材で形成されている。このネットシート２１の両側縁は、円弧に近似した曲線状の反りを有する弓状に形成されている。また、本実施形態において、ネットシート２１の幅方向の寸法は、長手方向両端にて最大となっており、長手方向略中央にて最小となっている。なお、ネットシート２１の幅方向の最大寸法と最小寸法との差を大きくすることにより、巻き取り機構によって連結用ベルト３０を牽引した際に、担架シート２０の幅方向に作用する張力を大きくすることが可能となる。ネットシート２１の幅方向の最大寸法と最小寸法との差を大きくするによって、担架シート２０の幅方向に作用する張力の大きくすることができる。しかしながら、枠体１０に担架シート２０が接触しないようにするために、幅方向の最大寸法を大きくすることには限界がある。また、ネットシート２１の長手方向中央部の幅を小さくすると、ネットシート２１の入浴者の載置面が小さくなってしまう。したがって、この最大寸法と最小寸法の差は、５センチメートルないし１５センチメートル程度とすることが好ましい。
【００２５】
また、ネットシート２１の両側縁には、両側縁の弓状の形状に合わせてナイロン等の布地を筒状に縫着することにより筒状体２２が設けられている。この筒状体２２は、両端面の開口がネットシート２１の長手方向を向くように設けられているとともに、ネットシート２１の長手方向の長さとほぼ等しい長さを有している。筒状体２２は、それぞれネットシート２１の両側縁の全てを覆うようになっている。
【００２６】
また、これらの筒状体２２の間には、ネットシート２１の幅方向の伸びを規制するとともにネットシート２１を補強するために、ナイロン等の素材によって形成された複数の帯状の補強用ベルト２３が設けられている。本実施形態では、入浴者が担架シート２０に載置された状態で、各補強用ベルト２３に加わる張力をほぼ等しくなるようにするために、入浴者の上半身が載置され、より多くの重量の支持が必要となる上縁部側の補強用ベルト２３の間隔が、下半身が載置されるおよび下縁部側の補強用ベルト２３の間隔より小さくなるように補強用ベルト２３を配設している。なお、この補強用ベルト２３は、ネットシート２１の水はけを良くするため、なるべく少ない本数とすることが好ましい。
【００２７】
また、連結用ベルト３０は、ポリプロピレン等の素材を平帯状に形成した紐状体である。図１に示すように、連結用ベルト３０は、ネットシート２１の両側縁に設けられた筒状体２２に挿通され、ネットシート２１の長手方向の両端から延出するようになっている。なお、上記の構造によって、連結用ベルト３０は、担架シート２０に対して着脱自在となっている。
【００２８】
また、連結用ベルト３０の上端部３１および下端部３２は、それぞれ折り返されてループ状に縫着されている。上端部３１は、枠体１０の連結部１７ａに連結されており、下端部は、前述した巻き取り機構のワイヤー１５と、Ｃリング１６を介して連結されている。
【００２９】
なお、前記枠体１０の連結部１７ａおよび連結部１７ｂの幅方向の間隔は、前記担架シート２０の長手方向両端の幅方向の寸法以上の大きさにすることが好ましい。そのような構造を用いることにより、担架シート２０の幅方向の弛みを抑制することが可能となる。
【００３０】
また、本実施形態では、担架シート２０を枠体１０に連結する場合、従来構造に用いられていたロープを用いず、平帯状の連結用ベルト３０を用いる。これにより、上端部３１および下端部３２の加工作業が、それぞれ両端部を折り返してループ状に縫合する作業のみとなっている。そのため、従来の入浴用担架１ａでロープ４０の端部を枠体１０に連結するために用いられる組みつなぎ等の特殊な結合方法が不要になり、本発明の入浴用担架１を容易に製作することができる。また、従来の入浴用担架１ａに使用されていた担架シート２０のロープ４０が担架シート２０から取り外すことが困難であったのに対し、本発明の入浴用担架１は、担架シート２０から連結用ベルト３０を取り外すことの容易な構造となっている。したがって、連結用ベルト３０の交換およびリサイクル、ならびに担架シート２０の洗濯および収納が便利な入浴用担架および担架シートを実現することができる。
【００３１】
以下、本発明の入浴用担架１を浴槽２の上部に載置して使用する際の手順および作用について説明する。
【００３２】
（１）枠体１０に担架シート２０を取り付け、巻き取り機構のハンドル１４を所定方向に回転させる。これにより、連結用ベルト３０を担架シート２０の下部連結管１３側からワイヤー１５を介して牽引し、担架シート２０を緊張状態とする。
【００３３】
ここで、担架シート２０の長手方向の両側縁は、前述したように、内側に凸になるように反りが設けられた弓状に形成されている。その反りに沿って筒状体２２が設けられている。さらに、筒状体２２中に連結用ベルト３０が挿通され、ネットシート２１の長手方向の両端から延出している。連結用ベルト３０をワイヤー１５を介して前記巻き取り機構により牽引した際に、図１中の矢印で示すように、担架シート２０の幅方向の張力が発生するようになっている。
【００３４】
また、このネットシート２１の両側縁には、前述したような反りが設けられている。これにより、連結用ベルト３０を前記巻き取り機構によって牽引した際に、担架シート２０の幅方向の張力が担架シート２０全体にほぼ均一に発生するようになっている。
【００３５】
また、前述したように、連結用ベルト３０をワイヤー１５を介して前記巻き取り機構により牽引した際に、担架シート２０の幅方向の張力が発生するため、連結用ベルト３０と筒状体２２との接触圧力が増加する。これにより、連結用ベルト３０および筒状体２２との間に発生する摩擦力が増加するようになっている。したがって、この摩擦力の増加によって、担架シート２０と連結用ベルト３０とのずれが防止されるようになっている。
【００３６】
（２）入浴者を担架シート２０の上に載置し、入浴用担架１を浴槽２の上部に取り付ける。そして、ハンドル１４を（１）の作業の際と逆の向き（所定の方向の反対の方向）に回転させることにより、連結用ベルト３０を弛緩させ、入浴者を浴槽２内へと降下させる。
【００３７】
なお、入浴後に入浴者を浴槽２内から浴槽２上方へと引き上げる際には、ハンドル１４を（１）の作業の際と同一である所定の方向に回転させることにより、連結用ベルト３０をワイヤー１５を介して巻き取り機構によって牽引する。これにより、担架シート２０を緊張状態にすることにより、入浴者を浴槽２の上方に上昇させればよい。
【００３８】
最後に、本発明は、上述した実施形態に限定されるものではなく、特許請求の範囲に記載された範囲で種々の変更および改良等が可能であることは言うまでもない。たとえば、連結用ベルト３０に切断アラーム機能を有するベルトを用いることにより、連結用ベルト３０の安全性を高めることが可能である。
【００３９】
【発明の効果】
以上説明したように、本発明によれば、連結用ベルトをワイヤーを介して巻き取り機構により牽引した際に、担架シートの幅方向の張力が発生するようになっているため、入浴者が載置された状態で、担架シートの幅方向の撓みによる入浴者の沈み込みを少なくすることができる。さらに、筒状体と連結用ベルトの摩擦が大きくなるため、担架シートと連結用ベルトとの長手方向のずれが少なくすることができる。
【図面の簡単な説明】
【図１】  本発明の入浴用担架の好適実施形態に係る全体構造を示す斜視図である。
【図２】  本発明の入浴用担架を浴槽の上方に取り付けた状態を示す斜視図である。
【図３】  従来の入浴用担架を浴槽の上方に取り付けた状態を示す斜視図である。
【符号の説明】
１    入浴用担架（本発明）
１ａ  入浴用担架（従来構造）
２    浴槽
１０  枠体
１１  左右把手管
１２  上部連結管
１３  下部連結管
１４  ハンドル
１５  ワイヤー
１６  Ｃリング
１７ａ  連結部（上部連結管）
１７ｂ  連結部（下部連結管）
２０  担架シート
２１  ネットシート
２２  筒状体
２３  補強用ベルト
３０  連結用ベルト
３１  上端部
３２  下端部
４０  ロープ
４１  ループ部
【図１】
0003751502.tif 000002
【図２】
0003751502.tif 000003
【図３】
0003751502.tif 000004